(57)【要約】【課題】  遊技者の興味を持続させる面白みのある遊技機及びそのソフトウエアプログラムを提供する。【解決手段】  少なくとも図柄の変動表示を行う変動表示領域６０と、前記変動表示領域６０を含まない非変動表示領域６１と、前記変動表示領域６０と前記非変動表示領域６１とを区画する表示境界５０の拡大可能な大きさを表す拡大可能境界５１、５２、５３とを表示可能な表示装置４と、所定の条件により、前記表示境界５０を前記拡大可能境界５１、５２、５３に至るまで拡大する表示境界変更手段３１ａとを備えるので、変動表示領域６０がどれだけ拡大するかが明確に把握でき、遊技者の興味を持続させる面白みのある遊技機を提供することができる。【選択図】  図６
2005034606.tif 000002
【特許請求の範囲】
【請求項１】
少なくとも図柄の変動表示を行う変動表示領域と、前記変動表示領域を含まない非変動表示領域と、前記変動表示領域と前記非変動表示領域とを区画する表示境界の拡大可能な大きさを表す拡大可能境界とを表示可能な表示装置と；
所定の条件により、前記表示境界を前記拡大可能境界に至るまで拡大する表示境界変更手段とを備える；
遊技機。
【請求項２】
前記表示装置は、大きさの異なる複数の前記拡大可能境界を表示可能であり、前記表示境界変更手段は前記表示境界を複数の前記拡大可能境界ごとに段階的に拡大する、請求項１に記載の遊技機。
【請求項３】
前記図柄が所定の停止態様となったときに大当りとなるように構成され、前記表示境界変更手段は、前記大当りとなる可能性が高くなるにしたがって前記表示境界を大きくなるように拡大制御する、請求項１又は請求項２に記載の遊技機。
【請求項４】
複数の前記図柄が所定の組合せ停止態様となったときに大当りとなるように構成され、前記表示装置が表示する前記拡大可能境界は、複数の前記図柄が所定の組合せ停止態様で揃う直前のリーチ状態を条件として表示されるものである、請求項１乃至請求項３のいずれか１項に記載の遊技機。
【請求項５】
発射された遊技球が転動可能な遊技領域を有する遊技盤であって、全部又は一部が透明な部材で形成された遊技盤を備え、前記表示装置は、前記遊技盤の裏面側から、前記遊技盤の前記遊技領域の全部又は一部を覆うように配設されている、請求項１乃至請求項４のいずれか１項に記載の遊技機。
【請求項６】
コンピュータにインストールして該コンピュータを遊技機として作動させるソフトウエアプログラムであって；
前記コンピュータの表示装置に、少なくとも図柄の変動表示を行う変動表示領域と、前記変動表示領域を含まない非変動表示領域と、前記変動表示領域と前記非変動表示領域とを区画する表示境界の拡大可能な大きさを表す拡大可能境界とを表示し；
所定の条件により、前記表示境界を前記拡大可能境界に至るまで拡大する；
ソフトウエアプログラム。
【発明の詳細な説明】
【技術分野】
【０００１】
本発明は、遊技者の興味を持続させる面白みのある遊技機及びそのソフトウエアプログラムに関するものである。
【背景技術】
【０００２】
従来のパチンコ遊技機等の弾球遊技機では、遊技盤の遊技領域に、普通入賞手段、大入賞手段等の入賞手段の他に、複数個の図柄表示部を有する図柄表示手段と、始動入賞口等の図柄変動要求手段とを設け、図柄変動要求手段からの図柄変動要求があれば、図柄表示手段の各図柄表示部の図柄を所定時間変動させて、その変動後の停止図柄が予め定められた特別図柄（大当り図柄）の組み合わせとなったときに、遊技者に有利な特別遊技状態を発生させていた。
【０００３】
そして、一旦特定状態が発生すれば、大入賞手段等の可変入賞手段を所定回数繰り返し開放するか、又は所定の入賞手段に入賞した遊技球がその内部の特別作動領域を通過した後、特定の入賞手段に遊技球が入賞することを条件に、その入賞毎に可変入賞手段を所定回数繰り返し開放する等によって、遊技者に多大な利益を還元している。
【０００４】
例えば、図柄表示手段の各図柄表示部に表示される図柄を０から９までの１０種類の数字図柄とし、その中の図柄「７」を特定図柄と設定した場合、各図柄表示部の停止図柄が全て特定図柄の「７」となる組み合わせ、即ち図柄表示手段の表示図柄が「７・７・７」のとき大当りとなる。
【０００５】
さらに、図柄表示手段に表示される画面画像の表示態様に変化を加えることによって、画像演出の幅を広げるとともに、この画面画像の表示態様の変化によって、遊技状態の変化、リーチ予告や大当り予告を行ない、例えば、キャラクタ画像と背景画像との両画像により構成される画像シーンが、（部分的に）拡大又は縮小された画面画像が、表示部に表示されることを特徴とする遊技機があった。
【０００６】
（例えば、特許文献１参照。）。
【特許文献１】特開２００２−３４６１１７号公報  （第１３−１４頁、第１１図）
【発明の開示】
【発明が解決しようとする課題】
【０００７】
しかしながら、上記のような遊技機では、例えば、画像シーンを拡大、縮小しても、遊技者はどれだけ画像シーンが拡大、縮小するかが分からないことがあった。また、画像シーンの拡大、縮小が単純であったため、演出を盛り上げるのには充分でない場合があった。このため、遊技者の興味を持続させることに一定の限界が存在していた。
【０００８】
そこで本発明は、遊技者の興味を持続させる面白みのある遊技機及びそのソフトウエアプログラムの提供を目的とする。
【課題を解決するための手段】
【０００９】
上記目的を達成するために、請求項１に係る発明による遊技機は、例えば図４及び図６に示すように、少なくとも図柄の変動表示を行う変動表示領域６０と、変動表示領域６０を含まない非変動表示領域６１と、変動表示領域６０と非変動表示領域６１とを区画する表示境界５０の拡大可能な大きさを表す拡大可能境界５１、５２、５３とを表示可能な表示装置４と、所定の条件により、表示境界５０を拡大可能境界５１、５２、５３に至るまで拡大する表示境界変更手段３１ａとを備える。
【００１０】
このように構成すると、遊技者に対して、表示がどこまで拡大される可能性があるかを明確に把握させることができるので、遊技者の興味を持続させる面白みのある遊技機を提供することができる。
【００１１】
また請求項２に記載のように、請求項１に記載の遊技機では、表示装置４は、大きさの異なる複数の拡大可能境界５１、５２、５３を表示可能であり、表示境界変更手段３１ａは表示境界５０を複数の拡大可能境界５１、５２、５３ごとに段階的に拡大するように構成してもよい。
【００１２】
このように構成すると、遊技者に対して、表示が何段階拡大することができるのかを認識させることができる。
【００１３】
また請求項３に記載のように、請求項１又は請求項２に記載の遊技機では、図柄が所定の停止態様となったときに大当りとなるように構成され、表示境界変更手段３１ａは、大当りとなる可能性が高くなるにしたがって表示境界５０を大きくなるように拡大制御するように構成してもよい。
【００１４】
このように構成すると、遊技者に対して、表示が拡大されたことに応じて、大当りへの信頼度が上昇したことが明確になる。
【００１５】
また請求項４に記載のように、請求項１乃至請求項３にのいずれか１項に記載の遊技機では、複数の図柄が所定の組合せ停止態様となったときに大当りとなるように構成され、表示装置４が表示する拡大可能境界５１、５２、５３は、複数の図柄が所定の組合せ停止態様で揃う直前のリーチ状態を条件として表示されるものとしてもよい。
【００１６】
このように構成すると、遊技者に対して、拡大可能境界５１、５２、５３がわずらわしさを感じさせることがない。
【００１７】
また請求項５に記載のように、請求項１乃至請求項４にのいずれか１項に記載の遊技機では、例えば図１に示すように、発射された遊技球が転動可能な遊技領域３を有する遊技盤２であって、全部又は一部が透明な部材で形成された遊技盤２を備え、表示装置４は、遊技盤２の裏面側から、遊技盤２の遊技領域３の全部又は一部を覆うように配設されてもよい。
【００１８】
このように構成すると、遊技盤全体を利用して拡大表示の演出を行うことができるので、遊技者に対して、迫力のある演出を行うことができる。
【００１９】
上記目的を達成するために、請求項６に係る発明によるソフトウエアプログラムは、例えば図６に示すように、コンピュータにインストールして該コンピュータを遊技機として作動させるソフトウエアプログラムであって、コンピュータの表示装置４に、少なくとも図柄の変動表示を行う変動表示領域６０と、変動表示領域６０を含まない非変動表示領域６１と、変動表示領域６０と非変動表示領域６１とを区画する表示境界５０の拡大可能な大きさを表す拡大可能境界５１、５２、５３とを表示し、所定の条件により、表示境界５０を拡大可能境界５１、５２、５３に至るまで拡大するように構成される。
【００２０】
このように構成すると、遊技者に対して、表示が拡大されていることを明確に把握させることができるので、遊技者の興味を持続させる面白みのある遊技機を実現するソフトウエアプログラムを提供することができる。
【００２１】
また、請求項６に記載のソフトウエアプログラムでは、大きさの異なる複数の前記拡大可能境界５１、５２、５３を表示し、前記表示境界５０を複数の前記拡大可能境界ごとに段階的に拡大ように構成してもよい。
【００２２】
また、請求項６に記載のソフトウエアプログラムでは、前記図柄が所定の停止態様となったときに大当りとなるように構成され、前記大当りとなる可能性が高くなるにしたがって前記表示境界５０を大きくなるように拡大するように構成してもよい。
【００２３】
また、請求項６に記載のソフトウエアプログラムでは、複数の前記図柄が所定の組合せ停止態様となったときに大当りとなるようにし、前記拡大可能境界５１、５２、５３は、複数の前記図柄が所定の組合せ停止態様で揃う直前のリーチ状態を条件として表示するように構成してもよい。
【発明の効果】
【００２４】
以上のように本発明によれば、少なくとも図柄の変動表示を行う変動表示領域と、前記変動表示領域を含まない非変動表示領域と、前記変動表示領域と前記非変動表示領域とを区画する表示境界の拡大可能な大きさを表す拡大可能境界とを表示可能な表示装置と、所定の条件により、前記表示境界を前記拡大可能境界に至るまで拡大する表示境界変更手段とを備えるので、変動表示領域がどれだけ拡大するかが明確に把握でき、遊技者の興味を持続させる面白みのある遊技機を提供することができる。
【発明を実施するための最良の形態】
【００２５】
以下、本発明の実施の形態を図示例と共に説明する。図１から図９は、発明を実施する形態の一例であって、図中、図と同一または類似の符号を付した部分は同一物または相当物を表わし、重複した説明は省略する。
【００２６】
図１は、本発明の実施の形態にかかる遊技機としてのパチンコ遊技機１の分解斜視図である。パチンコ遊技機１は、略直方体で１の面に開口が形成されている本体枠７０と、本体枠７０に組み込まれる遊技盤２とを備えている。さらにパチンコ遊技機１は、本体枠７０に不図示のヒンジ等により開閉自在に取り付けられることで、本体枠７０に形成された開口を開放または閉鎖することが可能な扉７１と、扉７１を閉鎖した状態で、扉７１の下側で本体枠７０の前面に設けられた遊技球を貯留するための上皿７２及び下皿７３とを備えている。下皿７３の右側には、打球発射装置４２が配設されている。なお、本図は扉７１を開放し、遊技盤２を取り外した状態を示す斜視図となっている。
【００２７】
打球発射装置４２は本体枠７０に対して回動自在に設けられており、遊技者は打球発射装置４２を操作することによりパチンコ遊技を進めることができるように構成されている。具体的には、打球発射装置４２の裏側には、不図示の発射モータが設けられており、打球発射装置４２が遊技者によって時計回り方向へ回動操作されたときには、発射モータに電力が供給され、上皿７２に貯留される遊技球が遊技盤２における遊技領域３に順次発射される。
【００２８】
遊技盤２は、打球発射装置４２によって発射された遊技球が転動可能な遊技領域３を有している。さらに遊技盤２の全部、すなわち遊技盤２の全体が透明な平板状の部材、例えばアクリル樹脂、ポリカーボネート樹脂、メタクリル樹脂などの透明樹脂、ここではポリカーボネート樹脂によって形成されている。遊技盤２の裏面側には後述する表示装置としての液晶表示装置４が配設されており、液晶表示装置４が、遊技盤２の裏面側から遊技盤２の遊技領域３の一部を覆うように構成されている。さらに、遊技盤２は、扉７１を閉鎖した状態で、遊技盤２の前面側を扉７１が覆うように配設されている。また、扉７１には、扉７１を閉鎖した状態で遊技領域３に略対応する位置に開口が設けられており、該開口に保護ガラス７１ａがはめ込まれている。すなわち、遊技領域３の前面側には保護ガラス７１ａが、遊技領域３の裏面側には液晶表示装置４が配設されることとなり、液晶表示装置４に表示される表示態様は、遊技者は保護ガラス７１ａ、遊技領域３を透過して遊技者に視認されることとなる。このように構成することで、遊技者に対して迫力のある演出を行うことができる。
【００２９】
さらに、遊技盤２の前面側には複数の障害釘７４が打ちこまれている。打球発射装置４２によって発射された遊技球は、遊技領域３の上部に移動し、その後、複数の障害釘７４との衝突によりその進行方向を変えながら遊技領域３の下方に向かって落下するように構成されている。詳しくは図３で説明する。
【００３０】
また、以上の説明では、液晶表示装置４は、遊技領域３の一部を覆うように構成しているものとしたが、遊技領域３の全部を覆うように構成することもできる。この場合、遊技者に対してさらに迫力のある演出を行うことができる。
【００３１】
さらに、図２の遊技盤２を説明するための簡略化した概略斜視図に示すように、遊技盤２は、遊技盤２を構成する平板状の部材の一部を透明な部材によって形成することもできる。すなわち、例えば、図２（Ａ）に示すように、鉛直方向に立てた平板状の部材の下方の領域、例えば、４分の１から３分の１程度を、光を透過しない部材、ここでは平板状の木材で形成し、残りの上方の領域に透明な部材、ここでは上述したポリカーボネート樹脂を用いて遊技盤２を形成することができる。なお、逆に木材で形成した領域を上方に配置してもよいし、ポリカーボネート樹脂の図中右又は左側の領域に配置してもよい。また、図２（Ｂ）に示すように、平板状の木材の所定の部分、例えば、本図には不図示の液晶表示装置４に表示される演出を効果的に表示することができる部分をくり抜き、該くり抜いた部分にポリカーボネート樹脂を嵌め込むようにして、遊技盤２を形成することもできる。さらに、図２（Ｃ）に示すように、遊技盤２を形成するポリカーボネート樹脂の裏面側、すなわち、液晶表示装置４が配置されている側の演出を効果的に表示することができる部分以外の部分を塗装することで光を透過しないように形成することもできる。この場合は、遊技盤２をより単純な構成とすることができる。また、塗装するかわりに、ブラスト加工やサンドペーパによる微細粗面を形成する光散乱加工を施し、この光散乱加工面で可視光線が散乱してあたかも発光するかのように形成することもできる。なお、本図は、遊技盤２の一部が透明な部材であることの概念を分かり易く説明するために、障害釘７４等を省略し、簡略化した図としている。
【００３２】
このように、遊技盤２の所定の一部を透明な部材によって形成すると、液晶表示装置４に表示される演出に対応して、より効率的に遊技盤２を形成することができる。
【００３３】
図３は、本発明の実施の形態による遊技機の正面図である。本図では、障害釘は図示を省略してある。遊技盤２では、遊技盤２の裏面側に、特別図柄その他の図柄を表示する上述のような液晶表示装置４が配置されている。この液晶表示装置４の表示画面上の所定表示領域に予め定められた表示態様が表示されると、遊技者に所定の有価価値が付与される特別遊技状態に移行する。
【００３４】
例えば、液晶表示装置４の表示画面上に、「一」から「九」の数字と「武士」「老人」「太鼓」の文字で表される図柄（これを「特別図柄」と称する）が表示される。この特別図柄を３つ揃えた表示態様、例えば、「七−七−七」のような表示態様が、「大当り停止態様」である。このような表示態様となれば、特別遊技状態に移行する。この特別遊技状態となれば、遊技盤２の下部に設けた開放板が手前側に開放され大入賞口８が開口状態に遷移し、多くの賞球が獲得できる。すなわちこれが遊技者にとって有利な遊技状態である。
【００３５】
また、液晶表示装置４では、様々な演出表示が行われる。演出表示は、種々の画像によるアニメーションで表現され、上述した特別遊技状態に移行する可能性がどの位あるかという情報である「大当り信頼度」や、リーチ状態となる可能性がどの位あるかという情報である「リーチ発展率」等が示される。
【００３６】
さらに、本実施形態では、図柄表示手段として液晶表示装置４を用いて説明をするが、本発明は液晶表示装置４を用いる構成に限定するものでなく、例えば、ＣＲＴ、プラズマディスプレイ、７セグメント、ドットマトリクス表示体、ランプ、ＬＥＤ、蛍光灯、ＥＬ、電子ペーパ、フレキシブルＬＥＤ、フレキシブル液晶等の表示手段を用いることもできる。
【００３７】
上記液晶表示装置４の下方には、液晶表示装置４での表示を開始するための条件となる始動入賞口（いわゆるスタート孔）６を構成する電動チューリップ５が設けられている。電動チューリップ５は、開閉自在な左右一対の開閉爪を備え、始動入賞口６へ遊技球（パチンコ玉）が入賞しやすいように、左右一対の爪で構成されたその始動入賞口６の入口が拡大する「第１状態」と、始動入賞口６へ遊技球が入賞しにくいように左右一対の爪で構成されたその入賞口６の入口が縮小する「第２状態」とに変換可能である。なお、第２状態であっても、遊技球が１個程度入賞可能である。遊技球が始動入賞口６へ入賞すると、５個の賞球が払い出されると共に、液晶表示装置４での表示が開始される。
【００３８】
上記電動チューリップ５の下方には、遊技者にとって有利な「開状態」と遊技者にとって不利な「閉状態」とに変換可能な開閉自在の扉を備えた大入賞口（いわゆるアタッカ）８が設けられている。この大入賞口８は、液晶表示装置４で「大当り停止態様」が表示された場合に、「開状態」に変換される。この大入賞口８に遊技球が入ると、所定個数（例えば１５個）の賞球が払い出される。
【００３９】
上述した所定の有価価値とは、この大入賞口８の「開状態」が所定条件成立（例えば、この開状態中の大入賞口８へ遊技球が所定数（例えば１０個）入賞したこと、或いは「開状態」に変換されてから所定時間（例えば３０秒）経過したこと）まで継続する遊技を、所定回数（例えば１６回（ラウンド））行える「大当り状態」となることである。ただし、所定のラウンドの遊技が終了した後、次のラウンドを行うためには、一般的に、大当り状態中に特定条件であるＶ継続条件を成立（以下、「Ｖ入賞」という）させる必要がある。
【００４０】
ここで、本実施の形態のパチンコ遊技機１では、大入賞口８の内部に設けられた特定領域（例えば、ゲート）に遊技球を通過させることでＶ入賞が成立するように設定されている。特定期間中に上記特定領域に遊技球を通過させた場合のみＶ入賞としてもよく、Ｖ入賞を成立可能な特定期間（以下、「Ｖ入賞成立可能期間」という）は、大入賞口８が「開状態」となった時点からの５秒間と、大入賞口８が「開状態」となった時点から１５秒経過後２０秒経過するまでの５秒間である。以下、「Ｖ入賞成立可能期間」中の上記特定領域を「Ｖゾーン」と称する。ただし、上記特定期間を設けない場合は、大入賞口が開放してから特定領域を遊技球が通過するまで、又は大入賞口８が閉鎖してから所定の時間経過（ここでは０秒も含む）するまで上記特定領域は「Ｖ入賞成立可能期間」中になる。
【００４１】
また、遊技球が始動入賞口６に入賞すると、液晶表示装置４が作動し図柄の変動が開始される。この液晶表示装置４の作動保留球の記憶数は所定の最大個数（例えば最大４個）に設定され、大当り状態中は特別図柄表示装置は動作しないように制御されている。
【００４２】
液晶表示装置４の図柄が変動を開始してから所定の変動時間（例えば、約１０秒間）が経過すると、図柄の変動が停止し、表示結果として図柄を停止表示する。但し、特別図柄短縮機能未作動時の作動保留球の数の違いによる変動時間の短縮時又は変動時間短縮機能作動時においては、上記所定の変動時間よりも短い所定の時間（例えば、約５．５秒）が経過すると図柄の変動が停止し、表示結果として図柄を停止表示するように制御されている。
【００４３】
例えば、液晶表示装置４に「一」、「一」、「一」の図柄組合せが表示結果として停止表示されると大当り状態になる。また、他に大当り状態にする組合せを例示すると、同様に、「二」、「二」、「二」の図柄組合せ、「三」、「三」、「三」の図柄組合せ、「四」、「四」、「四」の図柄組合せ、「五」、「五」、「五」の図柄組合せ、「六」、「六」、「六」の図柄組合せ、「七」、「七」、「七」の図柄組合せ、「八」、「八」、「八」の図柄組合せ、「九」、「九」、「九」の図柄組合せ、「武士」、「武士」、「武士」の図柄組合せ、「老人」、「老人」、「老人」の図柄組合せ、「太鼓」、「太鼓」、「太鼓」の図柄組合せである。これを予め設定し、合計１２通りの図柄組合せが表示結果として停止表示された場合に大入賞口８の開放又は拡大動作を開始させる。
【００４４】
上記大入賞口８が所定時間（例えば、約２８秒間）に亘り開放又は拡大するか、又は遊技球が１０個入賞すると大入賞口８が開放又は拡大状態を終了する。大入賞口８が開放又は拡大状態になる図柄の組合せが液晶表示装置４に表示されると、大入賞口８が開放又は拡大状態となり、大入賞口８が開放又は拡大中に入賞した遊技球が、特定領域１９ａ又は１９ｂを通過すると大当り状態を継続する条件を充足したことになる。
【００４５】
また、大当り状態を継続する上記条件を充足すると、１サイクルの開放又は拡大状態が終了（大入賞口８の閉鎖又は縮小状態が発生）した後に２サイクル目の大入賞口８が開放又は拡大状態となる。さらに、遊技球が大入賞口８の開放又は拡大中に特定領域１９ａ又は１９ｂを通過すると、２サイクル目の開放又は拡大状態が終了した後に３サイクル目の大入賞口８の開放又は拡大状態となるように制御されている。但し、大当り状態中に、大入賞口８が連続して開放又は拡大する回数は１５回までに制限するように制御する。
【００４６】
次に、確率変動制御を遂行する。遊技中のパチンコ遊技機が低確率中に大当り状態となる上述した１２通りの図柄組合せのうち、特定図柄で大当り状態となった場合、確率変動機能が作動を開始し、大当り状態となる図柄の組合せが表示される確率が高確率に移行するように制御される。
【００４７】
ここで、特定図柄としては例えば、「三」、「三」、「三」の図柄組合せ、「五」、「五」、「五」の図柄組合せ、「七」、「七」、「七」の図柄組合せ、「武士」、「武士」、「武士」の図柄組合せ、「老人」、「老人」、「老人」の図柄組合せ、「太鼓」、「太鼓」、「太鼓」の図柄組合せを用いることができる。
【００４８】
また、高確率中に特定図柄で大当り状態となった場合は、その大当り状態が終了してから、新たに大当り状態となる図柄の組合せが表示される確率を高確率に移行するように制御される。但し、大当り状態中の、大当り状態となる図柄の組合せが表示される確率は全て低確率に制限するように制御することとなる。
【００４９】
大入賞口８内には、特定領域としてのＶカウントスイッチ１９ａ、カウントスイッチ１９ｂが設けられおり、この特定領域としてのＶカウントスイッチ１９ａを入賞球が通過した場合に、大当り状態を継続させるように構成されている。また、大入賞口８の下方には、アウト球を回収するアウト口９が設けられている。さらに、遊技領域３の左下部にはレール１０が設置されており、の打球発射装置４２（図１参照）から発射された遊技球は、このレール１０に沿って上昇移動し、遊技領域３内に打ち込まれる。
【００５０】
ここで、大入賞口８は、開放後に所定時間が経過したとき、又は所定数（例えば１０個）の遊技球が入賞したときに開閉板が閉じると共に、遊技球が特定領域としてのＶカウントスイッチ１９ａを通過する度に、最大所定回数（例えば１６回）まで開閉動作を繰り返す変動処理が施される。
【００５１】
液晶表示装置４の上方には、普通図柄表示用ＬＥＤ１１ａ、１１ｂ及び普通図柄記憶ＬＥＤ１３ａ、１３ｂ、１３ｃ、１３ｄが、また下方には特別図柄記憶ＬＥＤ１２が４個設けられている。普通図柄表示用ＬＥＤ１１ａ、１１ｂは、それぞれ緑色発光ダイオード、赤色発光ダイオードで構成され、遊技球が普通図柄作動用ゲート７を通過すると所定時間、交互に点灯動作を行う。所定時間経過後、普通図柄表示用ＬＥＤ１１ａが点灯した状態であれば、電動チューリップ５が第１状態に変換される。
【００５２】
普通図柄記憶ＬＥＤ１３ａ、１３ｂ、１３ｃ、１３ｄは、始動入賞口６の左側に設けた普通図柄作動用ゲート７への遊技球通過がある度に１個ずつ点灯し、その時点での普通図柄表示用ＬＥＤ１１ａ、１１ｂの動作可能回数（所定の最大数。本実施例では４回を限度とする）を遊技者に知らせる。５回目以降の遊技球通過はカウントされず、無効となるように処理される。また、大入賞口８が開放又は拡大状態中では普通図柄表示用ＬＥＤ１１ａ、１１ｂは作動しないように制御されている。
【００５３】
また、遊技中に普通図柄表示用ＬＥＤ１１ａ、１１ｂの図柄が変動を開始してから所定変動時間（例えば５０秒）が経過すると、図柄の変動が停止し、表示結果として図柄を停止表示するように制御されている。但し、変動時間短縮機能が作動している状態では、図柄が変動を開始してから上記所定変動時間よりも短い所定の時間（例えば６秒）が経過すると図柄の変動が停止し、表示結果として図柄を停止表示する。
【００５４】
普通図柄表示用ＬＥＤ１１ａと１１ｂに、例えば、１通りの「緑点灯」と「赤消灯」の組合せが表示結果として停止表示されると、始動入賞口６が１又は複数回の拡大動作を行う「当り」状態となる。一方、１通りの「緑消灯」と「赤点灯」の組合せが表示結果として停止表示されても、当り状態とならない。
【００５５】
上記組合せが表示結果として停止表示され、当り状態になった場合、所定時間（例えば、約０．３秒間）の拡大動作を所定回数（例えば１回）実行するか、又は遊技球が所定の最大数（例えば４個）入賞すると当り状態を終了する。但し、開放延長機能作動時においては所定時間（例えば、約４．０秒間）の拡大動作を実行するか、又は遊技球が所定の最大数（例えば４個）入賞すると当り状態を終了する。
【００５６】
特別図柄記憶ＬＥＤ１２の夫々は、液晶表示装置４で特別図柄の変動表示が開始された後、始動入賞口６への遊技球入賞がある度に１個ずつ点灯し、その時点での液晶表示装置４の変動表示可能回数（例えば４回を限度とする）を遊技者に知らせるものである。従って、４個の特別図柄記憶ＬＥＤ１２が全て点灯している時の始動入賞口６への入賞は、変動表示開始条件としては無効処理される。
【００５７】
本図中、液晶表示装置４の左側には、左風車１５が設けられ、液晶表示装置４の右側には、右風車１６が設けられている。また、始動入賞口６の左側には、入賞球があると１０個の賞球を払出すように定められた一般入賞口１８ａ、１８ｃが設けられ、右側には同じく一般入賞口１８ｂ、１８ｄが設けられている。
【００５８】
本実施形態の遊技機は、例示した第１種パチンコ遊技機に限定されず、条件装置を備えていない第２種パチンコ遊技機や、特別装置を備えた第３種パチンコ遊技機などに適用することができる他に、遊技機として例えば、アレンジボール機、雀球遊技機など何でもよい。
【００５９】
図４は、本実施の形態のパチンコ遊技機における電気回路部を示すブロック図である。なお、構成要素の符号については適宜図１を参照する。パチンコ遊技機は、全体の動作を主制御手段としての主制御回路３０によって制御する。主制御回路３０は、制御プログラムを記憶している読み出し専用の記憶手段であるＲＯＭ３０ｂと、読み書き可能な記憶手段であるＲＡＭ３０ｃと、上記ＲＯＭに格納された制御プログラムに従って制御動作を実行する演算処理装置としてのＭＰＵ３０ａとを含み、これらを一つの基板上に配置して構成されている。
【００６０】
ここで、主制御回路３０上のＭＰＵ、ＲＯＭ、ＲＡＭを表示制御回路３１上のＭＰＵ等と区別するために、以下、メインＭＰＵ３０ａ、メインＲＯＭ３０ｂ、メインＲＡＭ３０ｃと称する。このメインＭＰＵ３０ａは、定期的に発生するリセット信号の入力により、メインＲＯＭ３０ｂに記憶している制御用プログラムの先頭から処理を実行する。
【００６１】
図示する主制御回路３０に接続された中継基板３４には、遊技球の検知手段として、普通図柄作動用ゲート７での遊技球の通過を検出する通過球センサ２０、一般始動入賞口６への遊技球の入賞を検出する始動入賞球センサ２２、一般入賞口１８ａ、１８ｂ、１８ｃ、１８ｄへの遊技球の入賞を検出する入賞球センサ２１、打球発射装置４２からの発射球を検出する発射球センサ２３、発射後遊技盤上に到達しないで戻ってきた遊技球を検出する戻り球センサ２４、及び大入賞口８内に設けられた特定領域としてのＶカウントスイッチ１９ａ、カウントスイッチ１９ｂを通過する遊技球を検出する大入賞球センサ２５が接続される。
【００６２】
但し、本実施の形態は図示した電気的な結線方法に限定されるものではなく、例えば、始動入賞口６への遊技球の入賞を検出する始動入賞球センサ２２からの信号線を、図中の実線で示した中継基板３４に接続する経路から、図中の破線で示したように中継基板３４を介さずに主制御回路３０へ直接的に接続するように変更することもできる。このように結線変更をするとプリント配線基板を目視するだけで始動入賞球センサ２２からの電気的信号が主制御回路３０へ送信されていることを容易に確認することができる。
【００６３】
また、アクチュエータとして、普通図柄表示用ＬＥＤ１１ａ、１１ｂ、ランプ表示装置４１、電動チューリップ（普通電動役物）５、及び大入賞口８が、中継基板３４に接続されている。
【００６４】
上記各センサが遊技球を検知すると、その検知信号は主制御回路３０上のメインＭＰＵ３０ａに入力され、当該入力に応じて、メインＭＰＵ３０ａが各種アクチュエータをそれぞれ駆動制御する。また、表示制御回路３１、音声制御回路３２及び賞球制御回路３３に対しても、それぞれ制御指令が送信される。
【００６５】
パチンコ遊技機は、遊技中に、通過球センサ２０が、普通図柄作動用ゲート７での遊技球通過による検知信号を出力すると、主制御回路３０上のメインＭＰＵ３０ａが、この検知信号に応じて、普通図柄表示用ＬＥＤ１１ａ、１１ｂでの遊技に関する各種判定を行う。そして、その判定結果に基づいて普通図柄表示用ＬＥＤ１１ａ、１１ｂの表示を制御する。
【００６６】
始動入賞球センサ２２は、始動入賞口６での遊技球入賞による検知信号を出力すると、主制御回路３０上のメインＭＰＵ３０ａが、この検知信号に基づいて、液晶表示装置４での遊技に関する各種判定を行う。そして、その判定に基づき液晶表示装置４での表示態様（例えば、特別図柄の変動表示開始から確定表示又は揺れ変動までの変動表示パターン、確定表示態様（停止表示する場合に表示する図柄）、キャラクタ画像又は背景画像などの演出表示態様など）を決定し、当該決定結果に基づいた表示制御指令信号（表示制御コマンド信号）を生成し、液晶表示装置４の表示制御を行う表示制御手段としての表示制御回路３１に送信する。
【００６７】
具体的には、左図柄、中図柄、右図柄からなる変動表示を備える場合に、表示結果として確定表示する左図柄を指定する左図柄指定コマンド信号、表示結果として確定表示する中図柄を指定する中図柄指定コマンド信号、表示結果として確定表示する右図柄を指宜する右図柄指定コマンド信号、変動表示パターン指定コマンド信号（図柄画像の変動表示態様、キャラクタ画像の変動表示態様、背景画像の変動表示態様、吹出し画像の変動表示態様などの情報を含む）などを変動開始と略同時期に主制御回路３０から表示制御回路３１に送信し、所定の秒数後（例えば３０秒後など）に図柄確定表示信号を主制御回路３０から表示制御回路３１に送信する。また、次回以降の変動表示パターン指定信号に基づいて開始する変動で、大当りが発生することを判定した場合には、上記の信号とは別に、大当りとなる変動開始よりも以前に、大当りが発生することを遊技者に報知するための演出表示の開始を指定する大当り事前予告演出指定コマンド信号を主制御回路３０から表示制御回路３１に送信する場合もある。また、判定結果が“大当り”であれば、大入賞口８の扉を開いて遊技球が入賞しやすい開状態に変換する。
【００６８】
表示制御回路３１は、主制御回路３０より受信した制御コマンド信号に基づいて液晶表示装置４に表示すべき画像データを生成し、該画像データの表示制御を実行する。この表示制御回路３１は、主制御回路３０を構成する基板とは別の基板上に各種制御装置を配置して構成されている。また、第１図柄列態様で停止表示をおこなうためのデータ、及び第２図柄列態様で停止表示をおこなうためのデータは表示制御回路３１に記憶し、第１図柄列態様及び第２図柄列態様のいずれの表示態様により停止表示するかを、主制御回路３０で決定するように構成することができる。例えば、「通常変動」から「リーチ変動」へ、「リーチ変動」から「第１図柄列態様でゆれ変動」という変動パターン（例えば第１変動パターンとする。）と、「通常変動」から「リーチ変動」へ、「リーチ変動」から「第２図柄列態様でゆれ変動」という変動パターン（例えば第２変動パターンとする。）とを含む２つ以上の複数の変動パターンを設け、複数の変動パターンのうちのいずれかの変動パターンに対応する変動表示パターン指定コマンド信号を主制御回路３０から表示制御回路３１に送信し、表示制御回路３１は受信した信号に基づいて、特別図柄を変動表示又は停止表示させるように構成しても良い。
【００６９】
但し、本発明はこの構成に限定するものではなく、主制御回路３０では、停止表示する場合の図柄列態様は決定せず、表示制御回路３１で決定して表示することもできる。例えば、図柄を変動表示中に上記大当り事前予告演出指定コマンド信号を受信した場合は、第１図柄列態様でゆれ変動、確定表示などを必ず又は高い確率でおこない、受信しなかった場合は第２図柄列態様でゆれ変動、確定表示などをおこなうように構成しても良い。
【００７０】
これら各種制御装置には、主制御回路３０から受信した制御コマンドの解釈および後述のＶＤＰ３１ｄのパラメータ設定を行うサブＭＰＵ３１ａ、サブＭＰＵ３１ａで実行する制御プログラムを格納するプログラムＲＯＭ３１ｂ、上記制御プログラムを実行するときの一時的な記憶手段としてのワークＲＡＭ３１ｃ、画像を形成するためのドットデータを格納する画像ＲＯＭ３１ｅ、サブＭＰＵ３１ａで設定されたパラメータに応じて画像ＲＯＭ３１ｅ内のドットデータを読み込み、表示すべき画像データを生成するＶＤＰ（Ｖｉｄｅｏ  Ｄｉｓｐｌａｙ  Ｐｒｏｃｅｓｓｏｒ）３１ｄ、ＶＤＰ３１ｄで生成された画像データをＲＧＢ信号に変換するＤ／Ａ変換器３１ｇ、制御プログラムが異常な処理ルーチンに入ったことを検出する一方、正常な処理ルーチン中は所定時間内にサブＭＰＵ３１ａ及びＶＤＰ３１ｄを初期状態に戻すためのリセット命令を発生するウォッチドッグタイマ機能を有するＣＴＣ（Ｃｏｕｎｔ  Ｔｉｍｅｒ  Ｃｏｎｔｒｏｌｌｅｒ）３１ｆ、及びＣＴＣ３１ｆからのリセット命令によりリセット信号を発生するリセットＩＣ３１ｈが含まれている。
【００７１】
例えば、主制御回路３０では、メイン遊技制御処理及び割込み処理が行われる。このイン遊技制御処理では、最初に、割込み許可フラグをセットする。この割込み許可フラグをセットすることにより、割込み処理が実行される。
【００７２】
次に、停止図柄選択用乱数カウンタの更新処理を行う。この停止図柄選択用乱数カウンタは、大当り判定の判定結果が「ハズレ」のとき液晶表示装置４にどの特別図柄を表示するかの選択に用いられる。当該カウンタの更新処理では、カウント値のカウントアップ（＋１加算）を毎回行い、上限値に達した次回の更新処理では、再度「０」からカウントアップしなおすように構成されている。停止図柄選択用乱数カウンタでは、上限値が「１１」に設定されている。なお、この停止図柄選択用乱数カウンタは、左図柄選択用乱数カウンタ、中図柄選択用乱数カウンタ、及び右図柄選択用乱数カウンタの３つのカウンタで構成され、それぞれ別個に更新処理を行うように構成している。
【００７３】
また、主制御回路３０から表示制御回路３１へ送信するコマンド信号に、上記の左・中・右の各図柄指定コマンド信号、変動表示パターン指定コマンド信号、大当り事前予告演出指定コマンド信号などの表示制御コマンド信号の他に、例えば、遊技者による操作が可能な位置に設けられた図柄の変動表示を停止させる図柄変動表示停止ボタンを遊技者が操作した場合に主制御回路３０から表示制御回路３１に送信される図柄変動表示停止指令コマンド信号を設け、その信号を受信した場合に、停止表示する図柄列態様を第１図柄列態様にするか、第２図柄列態様にするかを、その信号を受信する前に受信した上記の表示制御コマンド信号や所定の乱数抽選などに基づいて決定するように構成しても良い。
【００７４】
引き続き、停止図柄選択用乱数カウンタの更新処理を終了した後に、主制御回路３０から表示制御回路３１、音声制御回路３２等の各種制御回路に対してコマンドが送信中であるかどうか判別し、送信中であれば、割り込み許可フラグをセットする。一方、コマンドが送信中でなければ、エラーチェック処理についてのコマンドを生成し、生成されたコマンドに基づきエラーチェック処理を実行する。
【００７５】
そして、エラー発生中かどうかを判別し、エラー発生中であれば、割り込み許可フラグをセットする。一方、エラー発生中でなければ、特別図柄ゲーム制御処理を実行するように構成する。
【００７６】
さらに、主制御回路３０により表示結果を決定する表示結果決定用データを生成し、該表示結果決定用データに基づく表示結果を前記図柄表示手段としての液晶表示装置４に表示させる表示結果決定用データ生成手段としての表示制御回路３１をさらに備えることができる。
【００７７】
図５は、本実施の形態に用いる大当り停止態様選択テーブルを示す図である。パチンコ遊技機は、特別図柄ゲーム制御処理を遂行中に、大当り停止態様選択用乱数カウンタで更新されたカウント値を大当り図柄選択用乱数値として抽出し、大当り停止態様を選択する。この処理では、メインＲＯＭ３０ｂ（図４参照）内に格納された図示する大当り停止態様選択テーブルを参照し、大当り図柄選択用乱数値に基づいて、予め定められた複数の大当り停止態様の中から一つの図柄を選択する。
【００７８】
例えば、大当り停止態様選択テーブルでは、９種類の「一」から「九」までの漢数字図柄と、３種類の「武士」、「老人」、「太鼓」の文字図柄が特別図柄として設定され、この大当り停止態様選択テーブルに示すように、同一態様の特別図柄が３つ揃った停止態様が大当り停止態様である。
【００７９】
また、大当り停止態様を液晶表示装置４に表示するための画像データは、表示制御回路３１の画像ＲＯＭ３１ｅ（図４参照）内に格納される。この大当り停止態様選択テーブルでは各大当り停止態様を識別するための１２個のコードナンバーが割り当てられ、選択された大当り停止態様のコードナンバーが「左停止図柄番号指定コマンド」、「中停止図柄番号指定コマンド」及び「右停止図柄番号指定コマンド」の指定情報としてそれぞれ設定される。
【００８０】
引き続き、演出グループ番号選択用の乱数に基づいて演出番号を選択すると共に、大当り停止態様選択用乱数カウンタで更新されたカウント値を大当り図柄選択用乱数値として抽出し、大当り停止態様を選択して「演出グループ番号指定コマンド」、「左停止図柄番号指定コマンド」、「中停止図柄番号指定コマンド」及び「右停止図柄番号指定コマンド」を生成し、これらのコマンドをメインＲＡＭ３０ｃに格納する。ここで、メインＲＡＭ３０ｃに格納されたコマンドは、表示制御回路３１へ送信される。
【００８１】
図６は、本実施形態による遊技機としての遊技盤２の模式的な正面図であり、液晶表示装置４に表示される演出態様を示した図である。
【００８２】
図６（ａ）に示すように、液晶表示装置４の表示画面上には、第１の拡大可能境界とての第１ターゲットスコープ５１と、第２の拡大可能境界としての第２ターゲットスコープ５２と、第３の拡大可能境界としての第３ターゲットスコープ５３が単線で略矩形状に形成されている。各ターゲットスコープは、入れ子状、すなわち、第１ターゲットスコープ５１、第２ターゲットスコープ５２、第３ターゲットスコープ５３の順に大きくなるように形成されている。
【００８３】
第１ターゲットスコープ５１の内側には、少なくとも図柄の変動表示を行う変動表示領域６０が形成されている。さらに変動表示領域６０の外側には変動表示領域６０ではない領域としての非変動表示領域６１が形成されている。変動表示領域６０は、表示制御回路３１（図４参照）による制御によって、演出態様としての“忠臣蔵”の登場人物の特定キャラクタ映像が静止画もしくは動画で表示することができるように構成されている。図中の変動表示領域６０では、第１ターゲットスコープ５０内に忠臣蔵の登場人物と変動表示領域６０内下方に特別図柄としての“５８７”のナンバーが表示されている。
【００８４】
変動表示領域６０と非変動表示領域６１とは、表示境界５０を介して接している。すなわち、表示境界５０は、変動表示領域６０と非変動表示領域６１とを区画するように形成されている。
【００８５】
さらに、サブＭＰＵ３１ａは、表示境界５０を第1ターゲットスコープ５１に至るまで拡大して表示するように制御している。すなわち、変動表示領域６０は、図８及び図９で後述するように、リーチを予告する演出やスーパーリーチによる演出等に伴い、表示境界変更手段としてのサブＭＰＵ３１ａ（図４参照）によって、表示境界５０が第１ターゲットスコープ５１、第２ターゲットスコープ５２、第３ターゲットスコープ５３に至るまで順次段階的に拡大するように制御されている。したがって、拡大可能境界としての各ターゲットスコープ５１、５２、５３は、表示境界５０が拡大可能な大きさ、すなわち、変動表示領域６０が拡大可能な大きさを表していることとなる。また、変動表示領域６０が拡大する際には、変動表示領域６０に表示されている画像も共に拡大するように制御することもできるし、後述で具体的に説明するように、変動表示領域６０に表示されている画像表示を維持しつつ、変動表示領域６０が拡大することによって広がった変動表示領域６０の略枠状の領域に新たな画像を表示するように制御することもできる。
【００８６】
図６（ｂ）に示すように、変動表示領域６０は、サブＭＰＵ３１ａの制御により、表示境界５０が第１ターゲットスコープ５１に至るまで拡大表示される。このとき、第１ターゲットスコープ５１に、変動表示領域６０と非変動表示領域６１とを区画する表示境界５０が重なる。なお、変動表示領域６０の拡大は瞬時に行ってもよいし、所定の時間、例えば０．５秒から１秒をかけて徐々に行ってもよい。以下で説明する拡大においても同様である。
【００８７】
同様に図６（ｃ）では、変動表示領域６０は、第１ターゲットスコープ５１に重なった表示境界５０が第２ターゲットスコープ５２に至るまでさらに拡大表示され、第２ターゲットスコープ５２に表示境界５０が重なり、図６（ｄ）では、変動表示領域６０は、第２ターゲットスコープ５２に重なった表示境界５０が第３ターゲットスコープ５３に至るまでさらに拡大表示され、第３ターゲットスコープ５３に表示境界５０が重なるように制御されている。
【００８８】
なお、非変動表示領域６１は、表示制御回路３１によって、変動表示領域６０に表示される演出に関連するような画像又は映像を表示するように制御してもよい。非変動表示領域６１の画像は変動する図柄の画像であってもよいし、静止図柄の画像であってもよい。この場合、例えば、変動表示領域６０に表示される演出を補助するような画像又は映像を表示することで、演出をより一層盛り上げることができる。また、表示境界５０が第１ターゲットスコープ５１、第２ターゲットスコープ５２、第３ターゲットスコープ５３に至るとは、表示境界５０が実質的に第１ターゲットスコープ５１、第２ターゲットスコープ５２、第３ターゲットスコープ５３の近傍に止まればよく、例えば、数ピクセル前後ずれていてもよい。
【００８９】
さらに、図７に示すように、表示境界５０が拡大すると単に変動表示領域６０の全体が拡大されるだけではなく、焦点移動を伴わず対象物、ここでは“大石蔵之助”に接近する、もしくは遠ざかるように、変動表示領域６０の一部がズームインや、ズームアウトなどを行う画像を表示してもよい。図中の変動表示領域６０は、第１ターゲットスコープ５１内に“大石蔵之助”のズームアップ画像を表示しており、変動表示領域６０が段階的に拡大するのに伴い、“大石蔵之助”の画像も段階的にズームアップ、すなわち遊技者が段階的に“大石蔵之助”に近づくが如く制御されている。この場合、迫力のある画像でゲームを演出することができる。また、サブＭＰＵ３１ａは、表示境界５０を拡大して表示することに伴って、表示されている画像の範囲が広がるように制御してもよい。すなわち、変動表示領域６０は、変動表示領域６０が段階的に拡大するのに伴い、“大石蔵之助”等の画像表示を維持しつつ、拡大することによって広がった変動表示領域６０の略枠状の領域に新たな画像、例えば、“大石蔵之助” 等の画像に関連した背景画像として、従者の人数を増やす等の画像を表示し、徐々に遊技者の視界が広がるが如く表示制御することもできる。このように構成する場合は、遊技者に臨場感を与え、興趣を高めることに資することとなる。
【００９０】
変動表示領域６０は、サブＭＰＵによって、特別遊技状態に移行する可能性がどの位あるかという情報である「大当り信頼度」が高くなるほど、第１ターゲットスコープ５１から第３ターゲットスコープ５３まで順番に拡大表示されるように制御されている。例えば、変動表示領域６０は、通常の状態（図６（ａ）の状態）で大当り信頼度が約０％から１０％、大当り信頼度が約１１％から２５％の状態では、第１ターゲットスコープ５１まで拡大（図６（ｂ）の状態）され、大当り信頼度が約２６％から４０％の状態では、第２ターゲットスコープ５２まで拡大（図６（ｃ）の状態）され、大当り信頼度が約４１％から１００％の状態では、第３ターゲットスコープ５３まで拡大（図６（ｄ）の状態）されるように制御されている。
【００９１】
なお、各ターゲットスコープ５０、５１、５２、５３は液晶表示装置４の画面の盤面に描写されているセル画のデザインと一体化して形成してもよい。各ターゲットスコープ５０、５１、５２、５３を液晶表示装置４の画面の盤面を目安として形成することで、遊技者にとって視認し易くなり、境界線にわずらわしさを感じさせることがなくなる。
【００９２】
次に、図８の本実施形態としての遊技機１のフローチャートを参照して、大当りを予告する演出に伴った表示境界変更処理、ここでは、「大当り信頼度」が高くなるほど変動表示領域６０が拡大することを予告演出として用いる表示境界変更処理について説明する。構成要素の符号については適宜図３または図４を参照する。
【００９３】
ここでまず、遊技球が始動入賞口６を通過し始動入賞した時に、既にそれ以前の始動入賞により特別図柄の変動が実行されている場合には、保留球が記憶される。保留球は特別図柄記憶ＬＥＤ１２の点灯によって表示され、最大４つまで記憶可能である。保留された記憶による大当り判定処理は、始動入口６に入賞するのと略同時に、大当り判定用の乱数値が１つサンプリングされ、その乱数値をもとに当該保留球による変動表示が開始される直前に大当り判定が１回だけ行われる。保留された状態で既に大当り判定のパラメータである乱数値が存在する場合、当該保留球による変動表示を行う前の段階に、大当りとなる保留球が存在することを予め判断することが可能となる。これにより、当該保留球による変動表示が行われる前に、すなわち、まだ保留されている状態において、大当りの予告演出を行うことができる。また、保留されていない状態で変動表示が行われている場合でも、当該変動が大当りであるが否かを判断することができるため、当該変動表示中にも大当りの予告演出を行うことができる。さらに、変動開始時には、サブＭＰＵ３１ａによって画像ＲＯＭ３１ｅ内に格納されている予告パターンのうち、いずれの予告を演出するかが選択される。
【００９４】
ここでは、選択され得る予告の演出として変動表示領域６０が第１ターゲットスコープ５１まで拡大する予告Ａ、変動表示領域６０が第２ターゲットスコープ５２まで拡大する予告Ｂ、変動表示領域６０が第３ターゲットスコープ５３まで拡大する予告Ｃがあり、予告Ａの大当りとなる信頼度は１０％、予告Ｂの大当りとなる信頼度は２０％、予告Ｃの大当りとなる信頼度は３０％に各々設定されているものとする。
【００９５】
リーチを予告する演出に伴った表示境界変更処理では、まずサブＭＰＵ３１ａによって予告Ａが成立したか否かが判定され（Ｓ１００）、予告Ａが成立したと判定された場合には、サブＭＰＵ３１ａにより変動表示領域６０は、第２ターゲットスコープ５１まで拡大表示され（Ｓ１０２）、予告Ａが成立しなかったと判定された場合には、表示境界変更処理を終了する。変動表示領域６０が第１ターゲットスコープ５１まで拡大表示されると、つぎに、サブＭＰＵ３１ａによって予告Ｂが成立したか否かが判定され（Ｓ１０４）、予告Ｂが成立したと判定された場合には、サブＭＰＵ３１ａにより変動表示領域６０は、第２ターゲットスコープ５２までさらに拡大表示され（Ｓ１０６）、予告Ｂが成立しなかったと判定された場合には、表示境界変更処理を終了する。変動表示領域６０が第２ターゲットスコープ５２まで拡大表示されると、つぎにサブＭＰＵ３１ａによって予告Ｃが成立したか否かが判定され（Ｓ１０８）、予告Ｂが成立したと判定された場合には、サブＭＰＵ３１ａにより変動表示領域６０は、第３ターゲットスコープ５３までさらに拡大表示され（Ｓ１１０）、予告Ｃが成立しなかったと判定された場合には、表示境界変更処理を了する。変動表示領域６０が第３ターゲットスコープ５３まで拡大表示されると、表示境界変更処理は終了し、大当りであれば特別遊技状態、大当りでなければ通常遊技状態に移行する。
【００９６】
以上で説明した遊技機１によれば、各ターゲットスコープ５１、５２、５３が液晶表示装置４にあらかじめ表示されているので、遊技者は変動表示領域６０がどこまで拡大するのかを明確に把握することができる。また、何段階拡大し、現在の表示がどの段階の拡大表示なのかが視認により容易に確認することができ、さらに、通常変動中に予告が成立し変動表示領域６０が段階的に拡大表示されることに応じて信頼度が上昇したことが明確に把握できるようになり、興趣性が向上する。
【００９７】
また、本実施の形態に係る遊技機１では、通常遊技中には拡大可能境界である各ターゲットスコープ５１、５２、５３を表示しない構成とすることができる。この場合、所定の演出が行われる直前まで、各ターゲットスコープ５１、５２、５３を表示せず、演出の寸前にサブＭＰＵ３１ａの制御により表示するように構成する。すなわち、液晶表示装置４は、例えば後述の図９のフローチャートに示すように、リーチ発生とともに各ターゲッスコープ５１、５２、５３を表示し、演出を伴うことで大当りへの信頼度が高いリーチであることを遊技者に対して示唆する、いわゆる「スーパーリーチ」による演出に伴って、変動表示領域６０が拡大するようにサブＭＰＵ３１ａによって制御されている。
【００９８】
なお、リーチとは、最後に停止表示される図柄の組以外の組において図柄が停止表示された状態で、最後に停止表示される図柄の停止表示態様によっては、大当りが発生する可能性があることをいい、例えば特別図柄を３組に区分して変動表示する場合に、第１停止図柄および第２停止図柄が停止した段階で、大当りが発生する可能性が生じたこと、例えば第１停止図柄、第２停止図柄がともに同一の数字「七」となったことをいう。
【００９９】
図９は、スーパーリーチによる演出に伴った表示境界変更処理について説明するフローチャートである。構成要素の符号については適宜図３または図４を参照する。
【０１００】
まず、サブＭＰＵ３１ａによって、リーチ発生か否かの判定処理が実行され（Ｓ２００）、リーチが発生していないと判断された場合には表示境界変更処理を終了する。リーチが発生していると判断された場合には、液晶表示装置４に拡大可能境界としての各ターゲットスコープ５１、５２、５３を表示する（Ｓ２０２）。つぎに、大当りとなる信頼度が１０％程度であるスーパーリーチＡ、大当りとなる信頼度が２０％程度であるスーパーリーチＢ、大当りとなる信頼度が３０％程度であるスーパーリーチＣのうちのいずれかが表示されたか否かを判定する（Ｓ２０４）。
【０１０１】
なお上記説明では、スーパーリーチＢは、スーパーリーチＡから発展したスーパーリーチであり、スーパーリーチＣは、スーパーリーチＢから発展したスーパーリーチであるものとして説明したが、これに限らず、各スーパーリーチＡ、Ｂ、Ｃは、それぞれ独立したスーパーリーチであってもよいことは言うまでもない。
【０１０２】
いずれも表示されていないと判定されれば、変動終了か否かの判定処理（Ｓ２１６）に分岐し、いずれかが表示されたと判定されれば、サブＭＰＵ３１ａにより変動表示領域６０は、第１ターゲットスコープ５１まで拡大表示される（Ｓ２０６）。つぎに、スーパーリーチＢ、スーパーリーチＣのうちのどちらかが表示されたか否かを判定する（Ｓ２０８）。どちらも表示されていないと判定されれば、変動終了か否かの判定処理（Ｓ２１６）に分岐し、いずれかが表示されたと判定されれば、サブＭＰＵ３１ａにより変動表示領域６０は、第２ターゲットスコープ５２まで拡大表示される（Ｓ２１０）。
【０１０３】
さらに、スーパーリーチＣが表示されたか否かを判定する（Ｓ２１２）。スーパーリーチＣが表示されていないと判定されれば、変動終了か否かの判定処理（Ｓ２１６）に分岐し、スーパーリーチＣが表示されたと判定されれば、サブＭＰＵ３１ａにより変動表示領域６０は、第３ターゲットスコープ５３まで拡大表示される（Ｓ２１４）。
【０１０４】
つぎに、変動終了か否かの判定処理が実行され（Ｓ２１６）、変動中と判定されれば、Ｓ２０４からの処理を繰り返し実行し、変動終了と判定されれば、サブＭＰＵ３１ａの制御により液晶表示装置４に表示されている各ターゲットスコープ５１、５２、５３を再び非表示とし、表示境界変更処理を終了し、大当りであれば特別遊技状態、大当りでなければ通常遊技状態に移行する。  以上で説明した遊技機１によれば、サブＭＰＵ３１ａにより、通常変動中には、各ターゲットスコープ５１、５２、５３が液晶表示装置４に表示されておらず、リーチ成立により出現するように制御されているため、遊技者に対して各ターゲットスコープ５１、５２、５３にわずらわしさを感じさせることがない。さらに、スーパーリーチ成立により、変動表示領域６０が拡大表示され、成立したスーパーリーチがスーパーリーチ群のうち信頼度が高い特定のスーパーリーチであればさらに拡大表示されるので、スーパーリーチの期待度を明確に把握することができ遊技者に対して期待感を持続させ、遊技性の向上を図ることができる。
【０１０５】
本発明の第２の実施の形態であるソフトウエアプログラムは、パソコンや遊技機、ゲーム機などのコンピュータに以上で説明した各処理を実行させるように、該コンピュータにインストールされるソフトウエアプログラムであり、ＲＯＭカートリッジ、ＣＤ−ＲＯＭ、ＤＶＤ等の記録媒体に記憶させたり、通信衛星等のネットワーク環境下、あるいはインターネット等の通信回線を利用して配布されるものである。
【０１０６】
本ソフトウエアプログラムは、コンピュータに、複数の図柄群を変動表示して停止させるようにしたシミュレーションゲームプログラムであって、以上で説明した表示境界変更処理を行うように構成されている。
【０１０７】
そして、テレビゲームコントローラやパソコン等のコンピュータに表示境界変更処理を実行させるものであり、コンピュータの画像モニタ上に電動チューリップ５（図３参照）や一般始動入賞口６（図３参照）等を含めた遊技盤２（図３参照）の全体の画像を写し出すと共に、打球発射装置４２（図１参照）に変わるキーボード上に特定キーや専用操作ボタン等からなる操作スイッチを操作しながら疑似遊技が楽しめるように構成されている。
【０１０８】
なお、本発明の実施の形態である遊技機１は、上述した実施の形態に限定されず、特許請求の範囲に記載された範囲で種々の変更が可能である。例えば、上記説明では、拡大可能境界は、各ターゲットスコープ５１、５２、５３として単線であるものとして説明したがこれに限らず、例えば、波線であってもよいし、額縁のようにある幅を持った環状の領域として構成してもよい。拡大可能境界が、額縁の枠のように幅を持った領域である場合、拡大可能境界の幅を持った領域内で、キャラクタの予告演出や予備的・幇助的な変動表示を行うことができ、これにより変動表示領域での演出表示がさらに盛り上げられ遊技者対しての興趣性を向上させる。また、拡大可能境界は、第４段階、第５段階、第６段階、第ｎ段階というように、実行する演出態様に応じて段階を任意に増減させることが可能であることはいうまでもない。
【０１０９】
本発明に係る遊技機の機能を実現するためのコンピュータプログラムは、ＣＤ−ＲＯＭ等の記憶媒体に記憶させることができ、あるいはインターネット等の電気通信回線や衛星通信回線を利用して配布することができる。
【０１１０】
なお、本発明に係る遊技機は、上述した実施形態に限定されるものではなく、スロットマシン、パチスロ遊技機等の他の遊技機にも適用することができる。
【図面の簡単な説明】
【０１１１】
【図１】本発明の実施の形態にかかるパチンコ遊技機の分解斜視図である。
【図２】本発明の実施の形態にかかる遊技盤を説明するための簡略化した概略斜視図である。
【図３】本発明の実施の形態にかかる遊技盤の正面図である。
【図４】本実施の形態にかかるパチンコ遊技機における電気回路部を示すブロック図である。
【図５】本実施の形態に用いる大当り停止態様選択テーブルを示す図である。
【図６】本実施の形態にかかるパチンコ遊技機の演出態様図である。
【図７】本実施の形態にかかるパチンコ遊技機の演出態様図である。
【図８】本実施の形態にかかるパチンコ遊技機の処理フローチャートである。
【図９】本実施の形態にかかるパチンコ遊技機の処理フローチャートである。
【符号の説明】
【０１１２】
１      パチンコ遊技機
２      遊技盤
３      遊技領域
４      液晶表示装置
３１ａ  サブＭＰＵ
５０    表示境界
５１    第１ターゲットスコープ
５２    第２ターゲットスコープ
５３    第３ターゲットスコープ
６０    変動表示領域
６１    非変動表示領域
【図１】
2005034606.tif 000003
【図２】
2005034606.tif 000004
【図３】
2005034606.tif 000005
【図４】
2005034606.tif 000006
【図５】
2005034606.tif 000007
【図６】
2005034606.tif 000008
【図７】
2005034606.tif 000009
【図８】
2005034606.tif 000010
【図９】
2005034606.tif 000011